(57)【特許請求の範囲】
【請求項１】
スリーブ成形部（２１）と、上記スリーブ成形部（２１）から折曲境界部（１１）を介して延出したスプリング（４）と、このスプリング（４）の先端部分を拡張してなる端子成形部（３１）とがそれぞれ同一平面上に形成され、各成形部（２１）（３１）がそれぞれ曲げ加工されることで、筒状スリーブ（２）と、この筒状スリーブ（２）の一端部に設けられる被検査体接触用の端子（３）と、上記筒状スリーブ（２）に内装されて上記端子（３）を付勢するスプリング（４）とが一体に成形されるスプリングプローブであって、上記スプリング（４）は、上記折曲境界部（１１）から上記端子成形部（３１）に向かって断続的に設けられる連結部（４１・・）と、上記連結部（４１・・）の互いに対向する端部同士を連結するようにして設けられる略Ｕ字状の弾性部（４２）とを備え、上記折曲境界部（１１）から上記端子成形部（３１）にかけて、上記連結部（４１）と上記弾性部（４２）とが交互に連続しており、上記連結部（４１）は、上記弾性部（４２）の収縮方向に対する長さ（Ｌ１）が、上記弾性部（４２）の収縮幅（Ｌ２）以上とされ、上記弾性部（４２）は巻回された状態で、上記筒状スリーブ（２）に内装されているスプリングプローブ。
【請求項２】
スリーブ成形部（２１）と、上記スリーブ成形部（２１）から折曲境界部（１１）を介して延出したスプリング（４）と、このスプリング（４）の先端部分を拡張してなる端子成形部（３１）とがそれぞれ同一平面上に形成され、各成形部（２１）（３１）がそれぞれ曲げ加工されることで、筒状スリーブ（２）と、この筒状スリーブ（２）の一端部に設けられる被検査体接触用の端子（３）と、上記筒状スリーブ（２）に内装されて上記端子（３）を付勢するスプリング（４）とが一体に成形されるスプリングプローブであって、上記スプリング（４）は、上記折曲境界部（１１）から上記端子成形部（３１）に向かって断続的に設けられる連結部（４１・・）と、上記連結部（４１・・）の互いに対向する端部同士を連結するようにして設けられる略Ｕ字状の弾性部（４２）とを備え、上記折曲境界部（１１）から上記端子成形部（３１）にかけて、上記連結部（４１）と上記弾性部（４２）とが交互に連続しており、上記弾性部（４２）は上記連結部（４１）に向かって螺旋状に巻回された状態で、上記筒状スリーブ（２）に内装されているスプリングプローブ。
【請求項３】
上記螺旋状とされた弾性部（４２・・）の軸心同士が略一致するように、上記連結部（
４１）の同一面側に位置された状態で、上記筒状スリーブ（２）に内装されている請求項２記載のスプリングプローブ。
【請求項４】
上記弾性部（４２）は、一端部が、隣接する連結部（４１）（４１）の互いに対向する端部にそれぞれ連結されるとともに、互いに略平行して設けられる一対の延設部（４２ａ）（４２ａ）と、一対の延設部（４２ａ）（４２ａ）の他端部同士を連結する湾曲部（４２ｂ）とを備え、上記延設部（４２ａ）は、上記連結部（４１）に略直交して設けられている請求項１乃至３のいずれかに記載のスプリングプローブ。
【請求項５】
上記弾性部（４２）は、上記連結部（４１）からの突出長さ（Ｌ３）が、上記筒状スリーブ（２）の径（Ｒ）より大とされている請求項１乃至４のいずれかに記載のスプリングプローブ。
【請求項６】
上記弾性部（４２）は、上記連結部（４１・・）の軸心に対して、一方の弾性部（４２）が一方側に位置され、一方の弾性部（４２）に隣接する他方の弾性部（４２）が他方側に位置されるように互い違いに設けられている請求項１乃至５のいずれかに記載のスプリングプローブ。
【請求項７】
上記スリーブ成形部（２１）の上記折曲境界部（１１）側の端部から上記端子成形部（３１）に向かって上部接触部（２３）が延設されている請求項１乃至６のいずれかに記載のスプリングプローブ。
【請求項８】
請求項１乃至７のいずれかのスプリングプローブの製造方法であって、導電性を有する基板（１０）に打ち抜き加工を施して、スリーブ成形部（２１）と、上記スリーブ成形部（２１）から折曲境界部（１１）を介して延出したスプリング（４）と、このスプリング（４）の先端部分を拡張してなる端子成形部（３１）とをそれぞれ同一平面上に形成する第１工程と、上記端子成形部（３１）に曲げ加工を施して、上記端子（３）を成形する第２工程と、上記スプリング（４）の弾性部（４２）を巻回する第３工程と、上記折曲境界部（１１）を折り曲げて、上記スリーブ成形部（２１）と上記スプリング（４）とを重ね合わせる第４工程と、上記スリーブ成形部（２１）に曲げ加工を施して、上記端子（３）の根元部及び上記スプリング（４）を包み込むように上記筒状スリーブ（２）を成形する第５工程とを含むことを特徴とするスプリングプローブの製造方法。
【発明の詳細な説明】
【技術分野】
【０００１】
この発明は、半導体部品やプリント配線基板等の電気的特性を検査する際に用いられるスプリングプローブに関する。
【背景技術】
【０００２】
従来より、ＩＣやＬＳＩ等の半導体部品は、ウエハ上に形成された段階、パッケージ化された段階等の各製造段階において電気的特性が検査されて、良品、不良品の選別が成されている。このような電気的特性を検査する検査装置としては、プローブカードを備えたテスタ、ＩＣソケットが一般的に知られている。
【０００３】
プローブカードやＩＣソケットには、導電性を有する複数のコンタクトプローブが設けられており、それらコンタクトプローブを半導体部品の電極と検査用回路の電極との間に介在させて、これら電極間を通電状態とすることで、半導体部品の電気的特性を調査するようになっている。
【０００４】
この種のコンタクトプローブとしては、例えば、図７に示すようなスプリングプローブが知られている。スプリングプローブは、筒状スリーブ５０と、この筒状スリーブ５０の一端部に出没自在に取り付けられた端子５１と、端子５１を突出方向に付勢するコイル状スプリング５２とを備えている。そして、端子５１を、半導体部品の電極に接触させるとともに、筒状スリーブ５０の他端部を、検査用回路の電極に接続して、端子５１をスプリング５２の付勢によって半導体部品の電極に安定的に押し付けることで、電極間の通電状態を良好に維持するようになっている。
【０００５】
しかしながら、図７に示す従来のスプリングプローブは、筒状スリーブ５０、端子５１、スプリング５２といった各構成部品が別体で製造され、これら各構成部品を手作業で組み立てることで製造されていることから、製造効率が悪く、製造コストが高いといった不具合があった。
【０００６】
また、従来のスプリングプローブは、それぞれ別体の各構成部品が互いに接触し合って導通経路を構成しているが、これら接触部分において電気抵抗が大きくなって、プローブ全体としての電気的特性が不安定になり易く、検査精度に悪影響を及ぼすといった不具合もあった。
【０００７】
そこで、上記不具合を解決するものとして、導電性の基板からスリーブ成形部と、端子成形部と、スプリング成形部とを一体的に打ち抜き、それぞれ曲げ加工を施すことによって、筒状スリーブと、端子と、スプリングとを一体成形するスプリングプローブが開示されている（例えば特許文献１参照）。
【先行技術文献】
【特許文献】
【０００８】
【特許文献１】特表２０１０−５３２９０８号公報
【発明の概要】
【発明が解決しようとする課題】
【０００９】
ところが、特許文献１に開示されているスプリングプローブは、図８（ａ）に示すように波状帯板とされたスプリング成形部６０の各頂点６１・・を、図８（ｂ）に示すように、板厚方向に向かって奥側、手前側と交互に捻ることでコイル状に成形しているため、頂点での塑性変形が激しく、特に頂点６１において亀裂や破断等が生じる虞があり、耐久性に問題があった。
【００１０】
そこで、この発明は、上記の不具合を解消して、スプリングの耐久性の向上を図ったスプリングプローブ及びその製造方法の提供を目的とする。
【課題を解決するための手段】
【００１１】
上記課題を解決するため、本発明のスプリングプローブは、スリーブ成形部２１と、上記スリーブ成形部２１から折曲境界部１１を介して延出したスプリング４と、このスプリング４の先端部分を拡張してなる端子成形部３１とがそれぞれ同一平面上に形成され、各成形部２１、３１がそれぞれ曲げ加工されることで、筒状スリーブ２と、この筒状スリーブ２の一端部に設けられる被検査体接触用の端子３と、上記筒状スリーブ２に内装されて上記端子３を付勢するスプリング４とが一体に成形されるスプリングプローブであって、上記スプリング４は、上記折曲境界部１１から上記端子成形部３１に向かって断続的に設けられる連結部４１・・と、上記連結部４１・・の互いに対向する端部同士を連結するようにして設けられる略Ｕ字状の弾性部４２とを備え、上記折曲境界部１１から上記端子成形部３１にかけて、上記連結部４１と上記弾性部４２とが交互に連続しており、上記連結部４１は、上記弾性部４２の収縮方向に対する長さＬ１が、上記弾性部４２の収縮幅Ｌ２
以上とされ、上記弾性部４２は巻回された状態で、上記筒状スリーブ２に内装されていることを特徴としている。
【００１２】
または、スリーブ成形部２１と、上記スリーブ成形部２１から折曲境界部１１を介して延出したスプリング４と、このスプリング４の先端部分を拡張してなる端子成形部３１とがそれぞれ同一平面上に形成され、各成形部２１、３１がそれぞれ曲げ加工されることで、筒状スリーブ２と、この筒状スリーブ２の一端部に設けられる被検査体接触用の端子３と、上記筒状スリーブ２に内装されて上記端子３を付勢するスプリング４とが一体に成形されるスプリングプローブであって、上記スプリング４は、上記折曲境界部１１から上記端子成形部３１に向かって断続的に設けられる連結部４１・・と、上記連結部４１・・の互いに対向する端部同士を連結するようにして設けられる略Ｕ字状の弾性部４２とを備え、上記折曲境界部１１から上記端子成形部３１にかけて、上記連結部４１と上記弾性部４２とが交互に連続しており、上記弾性部４２は上記連結部４１に向かって螺旋状に巻回された状態で、上記筒状スリーブ２に内装されていることを特徴としている。また、上記螺旋状とされた弾性部４２・・の軸心同士が略一致するように、上記連結部４１の同一面側に位置された状態で、上記筒状スリーブ２に内装されている。
【００１４】
さらにまた、上記弾性部４２は、一端部が、隣接する連結部４１、４１の互いに対向する端部にそれぞれ連結されるとともに、互いに略平行して設けられる一対の延設部４２ａ、４２ａと、一対の延設部４２ａ、４２ａの他端部同士を連結する湾曲部４２ｂとを備え、上記延設部４２ａは、上記連結部４１に略直交して設けられている。
【００１５】
また、上記弾性部４２は、上記連結部４１からの突出長さＬ３が、上記筒状スリーブ２の径Ｒより大とされている。
【００１７】
さらにまた、上記弾性部４２は、上記連結部４１・・の軸心に対して、一方の弾性部４２が一方側に位置され、一方の弾性部４２に隣接する他方の弾性部４２が他方側に位置されるように互い違いに設けられている。
【００１８】
また、上記スリーブ成形部２１の上記折曲境界部１１側の端部から上記端子成形部３１に向かって上部接触部２３が延設されている。
【００１９】
また、本発明のスプリングプローブの製造方法は、導電性を有する基板１０に打ち抜き加工を施して、スリーブ成形部２１と、上記スリーブ成形部２１から折曲境界部１１を介して延出したスプリング４と、このスプリング４の先端部分を拡張してなる端子成形部３１とをそれぞれ同一平面上に形成する第１工程と、上記端子成形部３１に曲げ加工を施して、上記端子３を成形する第２工程と、上記スプリング４の弾性部４２を巻回する第３工程と、上記折曲境界部１１を折り曲げて、上記スリーブ成形部２１と上記スプリング４とを重ね合わせる第４工程と、上記スリーブ成形部２１に曲げ加工を施して、上記端子３の根元部及び上記スプリング４を包み込むように上記筒状スリーブ２を成形する第５工程とを含むことを特徴としている。
【発明の効果】
【００２０】
この発明のスプリングプローブによれば、スプリングの弾性部を巻回している、すなわち、弾性部の全長に亘って小さな塑性変形を均等に生じさせているだけであるため、捻り等の塑性変形の激しい箇所がなく、亀裂や破断等の少ない耐久性に優れたものとなり、これによって製品寿命を延ばすことができる。
【００２１】
また、弾性部を巻回して筒状スリーブに内装する構成としているため、弾性部の長さを、筒状スリーブの径より長くすることも可能である。そして、弾性部の長さを長くすれば、スプリング収縮時の弾性部の変形を小さく抑えることができるため、収縮によるダメージを抑えることができ、製品寿命を延ばすことができる。
【００２２】
さらに、折曲境界部から端子成形部に向かって断続的に設けられる連結部を複数備え、これら連結部の互いに対向する端部同士を連結するようにして弾性部を設ける、すなわち、隣接する弾性部間に連結部が介設されているため、スプリング収縮時において、隣接する弾性部同士が干渉し難くなり、スプリングをスムーズに収縮させることができる。
【００２３】
特に、連結部の長さを、弾性部の伸縮方向に対して、弾性部の収縮幅以上とすることで、隣接する弾性部同士が干渉しなくなるため、スプリングをさらにスムーズに収縮させることができる。また、弾性部間の間隔を十分に取ることで、打ち抜き加工時の誤差や曲げ加工時の誤差等、加工時の誤差が生じても、弾性部同士の干渉を防ぐことができるため、加工精度に劣る廉価な機器が使用可能であるとともに、不良品数も減少させることができ、低コスト化を図ることができる。また、加工精度の高い機器を用いれば、より小型のスプリングプローブを歩止まり良く製造することができる。
【００２４】
また、一対の延設部を互いに平行に、且つ連結部に略直交して設けることでも、隣接する弾性部同士の干渉を抑えることができる。
【００２５】
さらに、弾性部を螺旋状に巻回し、螺旋状とされた弾性部の軸心同士が略一致するように、連結部の同一面側に位置させることで、径の小さな筒状スリーブにも無理なくスプリングを内装することができる。
【００２６】
また、弾性部を互い違いに設けることで、端子を均等に付勢することが可能となり、検査精度の向上を図ることができる。
【００２７】
また、基板に打ち抜き加工や曲げ加工等を施して、各構成部品を一体成形したスプリングプローブを製造しているので、従来のような手作業による各構成部品の組立作業を不要として、製造効率を高めて、製造コストの低減を図ることができる。さらに、各構成部品が一体に繋がって導通経路を形成することになるため、電気抵抗を小さく抑えて、電気的特性を安定させることができ、これによって検査精度の向上を図ることができる。
【図面の簡単な説明】
【００２８】
【図１】本発明の実施形態に係るスプリングプローブを示す正面図である。
【図２】各工程を順次実行したときの基板の状態を示す図である。
【図３】各工程を順次実行したときの基板の状態を示す図である。
【図４】第１工程によって成形された各部を示す図である。
【図５】スプリングを示す図であって、（ａ）は第３工程以前のスプリングを示す拡大図、（ｂ）は第３工程における弾性部の巻回状態を示すＡ−Ａ断面図である。
【図６】スプリングプローブの斜視図であって、（ａ）は第３工程以前のスプリングプローブを示す要所拡大図、（ｂ）は第３工程後のスプリングプローブを示す要所拡大図である。
【図７】従来のスプリングプローブを示す正面図である。
【図８】従来のスプリングプローブのスプリングを示す斜視図であって、（ａ）は曲げ加工前のスプリングを示す要所拡大図、（ｂ）は曲げ加工後のスプリングを示す要所拡大図である。
【発明を実施するための形態】
【００２９】
以下、この発明のスプリングプローブについて図に基づいて詳細に説明する。この発明の実施形態に係るスプリングプローブ１は、図１に示すように、筒状スリーブ２と、この筒状スリーブ２の一端部に出没自在に設けられた被検査体接触用の端子３と、筒状スリーブ２に内装されて、端子３を突出方向に付勢するスプリング４とを一体成形してなる。
【００３０】
このスプリングプローブ１は、例えばプローブガードを備えたテスタ、ＩＣソケット等の検査装置に装着されて、その端子３を、半導体部品等の被検査体の電極に接触させるとともに、筒状スリーブ２の他端部（後述する上部接触部２３）を、検査用回路の電極に接続して、端子３をスプリング４の付勢によって半導体部品の電極に安定的に押し付けることで、電極間の通電状態を良好に維持するようになっている。なお、スプリングプローブ１は、その全長が例えば１〜５０ｍｍ、筒状スリーブの直径が例えば０．２〜５ｍｍといった極小サイズとされている。
【００３１】
以下、このスプリングプローブ１の製造方法について説明する。この製造方法においては、順送型による自動組立方式を採用しており、例えばベリリウム銅製又はベリリウムニッケル製の高硬度で導電性に優れた薄肉帯状の基板１０を、その長手方向に搬送しながら、基板１０に対して各工程を順次実行することで、大量のスプリングプローブ１・・を連続して製造可能となっている。
【００３２】
図２及び図３は、各工程を順次実施した時の基板１０の状態を示している。なお、図２及び図３において、ハッチ部（色付き部）は、打ち抜かれた部分である。まず、第１工程において、基板１０に打ち抜き加工を施して、略長方形状のスリーブ成形部２１と、このスリーブ成形部２１の短手方向の一端部中央から折曲境界部１１を介して延出したスプリング４と、スプリング４の先端部分を拡張してなる端子成形部３１とをそれぞれ同一平面上に形成する。なお、基板１０のスプリング４や各成形部２１、３１以外の部分と、スプリング４や各成形部２１、３１とは、端子成形部３１の先端部から延出された接続部１２と、スリーブ成形部２１の短手方向の他端部から延出された接続部１３とによって接続された状態とされる。また、これら接続部１２、１３で安定性を保てないような場合は、別途接続部を増やしても良い。
【００３３】
このとき、具体的には、スリーブ成形部２１を構成する部位として、図４に示すように、略長方形状の基部２２と、この基部２２の短手方向の一端部から折曲境界部１１の両側に位置するように、且つ端子成形部３１に向かって延出した一対の上部接触部２３、２３と、基部２２の短手方向の他端部側を押圧してなる一対の端子接触用突起２４、２４及び一対のストローク調整用突起２５、２５とが形成される。
【００３４】
また、端子成形部３１は、図４に示すように、略長方形状に形成されるとともに、スプリング４とは反対側の端部（先端部）から接触片３２、３２が延出される。また、スリーブ成形部２１に形成されたストローク調整用突起２５、２５に対応する箇所に凹溝３３、３３が形成される。具体的に、凹溝３３は、スプリング４の収縮方向と平行するように設けられ、その長さは、スプリング収縮長さと略同長、又はそれより短く形成される。
【００３５】
また、スプリング４の構成部位として、折曲境界部１１から端子成形部３１に向かって断続的に設けられる複数の連結部４１・・と、これら連結部４１・・の互いに対向する端部同士を連結する略Ｕ字状の弾性部４２・・とが形成される。また、この弾性部４２は、図５（ａ）に示すように、一端部が、互いに対向する連結部４１、４１の端部にそれぞれ連結されるとともに、互いに略平行して設けられる一対の延設部４２ａ、４２ａと、この一対の延設部４２ａ、４２ａの他端部同士を連結する湾曲部４２ｂとから構成され、延設部４２ａは、連結部４１に略直交して設けられる。また、弾性部４２・・は、連結部４１・・の軸心に対して、一方の弾性部４２が一方側に位置され、一方の弾性部４２に隣接する他方の弾性部４２が他方側に位置されるように互い違いに設けられている。
【００３６】
すなわち、スプリング４は、折曲境界部１１から延設された連結部４１の上端部に、一方側の弾性部（左側弾性部）４２の下方側の延設部４２ａの端部（弾性部の開口側端部の下方側）が連結され、この左側弾性部４２の上方側の延設部４２ａの端部（弾性部の開口側端部の上方側）に、別の連結部４１の下端部が連結され、この連結部４１の上端側に他方側の弾性部（右側弾性部）４２の下方側の延設部４２ａの端部が連結され、この右側弾性部４２の上方側の延設部４２ａの端部に、さらに別の連結部４１が連結され、この連結部４１に別の左側弾性部４２の下方側の延設部４２ａの端部が連結された形態、すなわち、連結部４１と弾性部４２とが交互に連続形成された形態とされており、この形態を折曲境界部１１から端子成形部３１にかけて繰り返し連続することでスプリング４が構成されている。
【００３７】
また、連結部４１の長さＬ１は、スプリング４の収縮方向に対して、延設部４２ａ、４２ａ間の間隔Ｌ２以上、すなわち、ひとつの弾性部４２の収縮幅以上とされる。また、湾曲部４２ｂ、４２ｂ間の幅Ｗ１は、スリーブ成形部の幅Ｗ２より大とされる。また、弾性部４２の連結部４１からの突出長さＬ３は、筒状スリーブ２の径Ｒよりも大とされる。
【００３８】
続いて、第２工程において、端子成形部３１に曲げ加工を施して、端子成形部３１を筒状に丸めることで端子３を成形する。なお、この際、凹溝３３、３３は端子３の外周側に位置することとなる。
【００３９】
続いて、第３工程において、スプリング４の弾性部４２・・に曲げ加工を施す。具体的には、図５（ｂ）及び図６（ｂ）に示すように、弾性部４２の先端部（湾曲部４２ｂ）が中心に位置するようにして、湾曲部４２から連結部４１に向かって螺旋状に巻回する。また、この際、互い違いに延出された弾性部４２・・が同一面側（例えば表面側）に位置するように、また、螺旋状の弾性部４２・・の軸心同士が略一致するように、さらに、螺旋状の弾性部４２の軸心と連結部４１の軸心とが略平行となるようにして、弾性部４２の根元部分まで曲げ加工を行う。
【００４０】
続いて、第４工程において、基板１０と端子３の先端部とを接続している接続部１２を切断し、スリーブ成形部３１とスプリング４との間の折曲境界部１１を折り曲げて、スプリング４の中心軸をスリーブ成型部２１の長手方向の中心線に沿わせるようにしてスリーブ成形部２１とスプリング４とを重ね合わせる。
【００４１】
続いて、第５工程において、スリーブ成形部２１に曲げ加工を施して、スリーブ成形部２１を筒状に丸めることで、端子３のそれぞれの根元部及びスプリング４を包み込むように筒状スリーブ２を成形する。
【００４２】
そして、第６工程において、焼入れ及び焼き戻しを行って、スプリング４を含めた製品全体に硬さと粘り強さを与えた後、端子３をスプリング４の付勢力に抗して筒状スリーブ２に押し込み、筒状スリーブ２の内周面側に位置されたストローク調整用突起２５、２５を端子３の凹溝３３、３３に嵌合させる。なお、この際、筒状スリーブ２の内周面側に位置する端子接触用突起２４、２４は、端子３の外周面に当接状態とされる。最後に、基板１０と筒状スリーブ２とを接続する接続部１３を切断して、製品すなわち図1に示すスプリングプローブ１を切り離す。以上の各工程を、搬送される基板１０に対して順次実行することで、各構成部品２、３、４が一体成形されたスプリングプローブ１が連続的に製造される。
【００４３】
このように、基板１０の打ち抜き加工や曲げ加工等を施して、各構成部品２、３、４を一体成形したスプリングプローブ１を製造しているので、従来のような手作業による各構成部品２、３、４の組立作業を不要として、製造効率を高めて、製造コストの低減を図ることができる。しかも、各構成部品２、３、４が一体に繋がって導通経路を構成することになるから、電気抵抗を小さく抑えて、電気的特性を安定させることができ、これによって検査精度の向上を図ることができる。
【００４４】
また、スプリング４の弾性部４２を巻回している、すなわち、弾性部４２の全長に亘って小さな塑性変形を均等に生じさせているだけであるため、捻り等の塑性変形の激しい箇所がなく、亀裂や破断等の少ない耐久性に優れたものとなり、これによって製品寿命を延ばすことができる。
【００４５】
さらに、弾性部４２の長さＬ３を、筒状スリーブ２の径Ｒより長くしているため、弾性部４２の収縮幅Ｌ２に対して突出長さＬ３を大きくすることができ、スプリング収縮時の弾性部４２の変形（湾曲部４２ｂの変形角）を小さく抑えることができ、収縮時のダメージを抑えることができ、製品寿命を延ばすことができる。また、弾性部を螺旋状に巻回し、螺旋状とされた弾性部の軸心同士が略一致するように、連結部の同一面側に位置させているため、弾性部４２の長さを長くしながらも、径の小さな筒状スリーブにも無理なくスプリングを内装することができる。
【００４６】
さらにまた、隣接する弾性部４２、４２間に連結部４１を介設するとともに、連結部４１の長さＬ１を、弾性部４２の伸縮方向に対して、弾性部４２の収縮幅（延設部４２ａ、４２ａ間の間隔Ｌ２）以上としているため、スプリング収縮時において、隣接する弾性部４２、４２同士が干渉しなくなり、スプリング４をスムーズに収縮させることができる。また、弾性部４２、４２間の間隔を十分に取ることで、打ち抜き加工時の誤差や曲げ加工時の誤差等、加工時の誤差が生じても、弾性部４２、４２同士の干渉を防ぐことができるため、加工精度に劣る廉価な機器が使用可能であるとともに、不良品数も減少させることができ、低コスト化を図ることができる。また、加工精度の高い機器を用いれば、より小型のスプリングプローブを歩止まり良く製造することができる。
【００４７】
また、弾性部４２を互い違いに設けているため、端子３を均等に付勢することが可能となり、検査精度の向上を図ることができる。
【００４８】
以上にこの発明の具体的な実施形態について説明したが、この発明は上記実施形態に限られるものではなく、この発明の範囲内で種々変更して実施することが可能である。例えば、上記実施例においては、複数の弾性部４２・・が設けられていたが１個でも良い。また、湾曲部４２ｂ、４２ｂ間の幅Ｗ１が、スリーブ成形部２１の幅Ｗ２より小とされていても良い。また、弾性部４２・・を互い違いとなるように設けず、同一方向に設けるようにしても良い。
【符号の説明】
【００４９】
１・・スプリングプローブ、２・・筒状スリーブ、３・・端子、４・・スプリング、１０・・基板、１１・・折曲境界部、２１・・スリーブ成形部、２３・・上部接触部、３１・・端子成形部、４１・・連結部、４２・・弾性部、４２ａ・・延設部、４２ｂ・・湾曲部、Ｌ１・・連結部の弾性部の収縮方向における長さ、Ｌ２・・弾性部の収縮幅、Ｌ３・・弾性部の連結部からの突出長さ、Ｒ・・筒状スリーブ径
【図１】
0005724095.tif 000002
【図２】
0005724095.tif 000003
【図３】
0005724095.tif 000004
【図４】
0005724095.tif 000005
【図５】
0005724095.tif 000006
【図６】
0005724095.tif 000007
【図７】
0005724095.tif 000008
【図８】
0005724095.tif 000009